(57)【要約】【課題】第２記録媒体が装着されていないと検知された際には、所定のバックアップ動作を行わず、装着されていると検知された際には、所定のバックアップを行う撮像装置を提供する。【解決手段】第２記録媒体が装着されて無い場合は、バックアップ設定が有りとなっていても、何事もなかった様に、バックアップも行わないし、削除も行わない。容量不足の場合と違い、バックアップ関連の表示も行わない。ユーザの要望に合ったバックアップの設定を一度行っておき、通常はそのままバックアップ無しで撮影を行い、本当に重要な撮影の前には、メモリカードを装着し、自動バックアップ撮影を行う。バックアップを行うか否かで、設定をいじるか否かを決めず、バックアップが必要な時に、メモリカードを入れ、処理する。【選択図】図４
2008092533.tif 000002
【特許請求の範囲】
【請求項１】
少なくとも２つの記録媒体を有する撮像装置であって、
第１の記録媒体に記録予定または記録済みのデータを第２の記録媒体にバックアップするバックアップ手段と、
前記第２の記録媒体が装置本体に装着されたことを検知する検知手段とを有し、
前記検知手段により、前記第２の記録媒体が装着されていないと検知された際には、事前にバックアップ実施指定が行われていても前記バックアップ手段による所定のバックアップ動作を行わず、
前記検知手段により、前記第２の記録媒体が装着されていると検知された際には、前記バックアップ手段により、事前指定された所定のバックアップを行うことを特徴とする撮像装置。
【請求項２】
前記事前指定された所定バックアップの内容は、自動バックアップ実施の有無の選択であることを特徴とする請求項１の撮像装置。
【請求項３】
前記事前指定された所定バックアップの内容は、撮影毎、指定枚数毎、電源ＯＮ〜ＯＦＦ迄、当日限りのいずれか１つのバックアップを行うことを特徴とする請求項１または２に記載の撮像装置。
【請求項４】
前記事前指定された所定バックアップのタイミングは、撮影後、カメラ電源ＯＦＦ時、カメラ電源ＯＮ時、モニタリング時、オートパワーオフ時のいずれか１つであることを特徴とする請求項１から３のいずれか１項に記載の撮像装置。
【請求項５】
自動バックアップ内容、自動バックアップタイミングの両方またはいずれか１つを事前に選択することを特徴とする請求項１から４のいずれか１項に記載の撮像装置。
【請求項６】
前記事前指定による自動バックアップ完了後に、バックアップを完了した前記第１の記憶媒体の当該画像データを削除するか否かを選択することを特徴とする請求項１から５のいずれか１項に記載の撮像装置。
【請求項７】
撮影画像の容量を決定する画質または画像サイズの選択モードと、
撮影前の前記選択モードの状況から、バックアップに必要な前記第２の記録媒体の空き容量を概算する空き容量概算手段と、
前記空き容量が不足している場合には、バックアップ出来ない旨または第２の記録媒体の交換を促す旨を使用者に警告表示する警告表示手段とを有することを特徴とする請求項１から６のいずれか１項に記載の撮像装置。
【請求項８】
前記空き容量が不足の際も撮影は通常通り行い、第１の記録媒体に撮影データを記録し、前記警告表示手段に、バックアップが出来なかった旨を警告表示することを特徴とする請求項７に記載の撮像装置。
【請求項９】
前記第１の記録媒体が、ハードディスクで、前記第２の記録媒体が、メモリーカードまたは光ディスクであることを特徴とする請求項１から８のいずれか１項に記載の撮像装置。
【発明の詳細な説明】
【技術分野】
【０００１】
本発明は、撮影データバックアップ機構を有する撮像装置に関する。
【背景技術】
【０００２】
今日、デジタルカメラなどで撮影した画像をＰＣなどに、保存することが一般的に行われるようになり、メモリカードの画像データを、ＰＣや保存装置に保存することが、最も一般的な方法として定着している。ＰＣに対しては、カードアダプタを介したマスストレージ接続により、通信ソフトのインストール無しにデータ保存できるのが一般的である。また、各種保存装置にメモリカードリーダが内蔵され、さらに簡単にデータ転送できる環境になりつつある。
【０００３】
また、デジタルカメラのメイン記録媒体として、ＨＤＤ等の大容量記憶媒体が採用されると大量の画像データが記録可能になることが知られている。しかし、大容量のＨＤＤ等の記憶媒体に画像データを保存する場合、容量が大きいあまり、衝撃に弱い、長期保存に向かないなどの問題がある。そこで、複数の記録媒体を利用してデジタルカメラなどで撮影された画像データを記録する方法、自動的に記録された画像データをバックアップする機能を有する装置などが、従来から提案されている。次にこのような開示を挙げる。
【０００４】
特許文献１は、２つの記録媒体を取り外し自在に収納または内蔵し、撮影時に半導体撮像素子から取り込まれた画像データを記録媒体に記録し、記録媒体に記録された画像データを予め定められたタイミングでもう一方の記録媒体に自動的にバックアップする電子カメラが提案されている。
【０００５】
特許文献２は、画像記録媒体に記録されている前記ヘッダー部の記録単位情報を読み出し、読み出した記録単位情報と、既に保存した保存済み画像ファイルのヘッダー部の記録単位情報とを比較し、画像保存装置側が持たない未取得の記録単位情報を持つファイルを、画像記録装置から画像保存装置の記録装置に取得して保存するといったような、ＰＣのバックアップ時にデータを同期し、ＰＣに無くカメラに存在するファイルのみ転送する画像ファイル管理システムおよび画像ファイル管理プログラムが提案されている。
【０００６】
特許文献３は、画像データを記録する記録媒体を複数有し、複数の記録媒体のうち、一方の記録媒体に記録されている画像データを他方の記録媒体に転送し、転送後削除する、または記録させてバックアップを行うことが可能なカメラが提案されている。
【０００７】
特許文献４は、デジタルスチルカメラで撮像してＰＣカードに記録した画像ファイルをディスク等の記録媒体に簡単に複写できるといった第１の記録媒体から、外部機器として接続された第２の記録媒体に複写する画像ファイル複写装置、撮像装置、画像ファイル複写システムおよびコンピュータ読み取り可能な記録媒体が提案されている。
【０００８】
特許文献５は、１回の撮像で得られる画像データを複数の記録媒体に対して記録するバックアップ記録が可能で、バックアップ側の記録容量が不足の場合は、以後の撮影操作またはメイン側への保存（撮影）を禁止する撮像装置および制御方法が提案されている。
【特許文献１】特開２００２−１９０９７３号公報
【特許文献２】特開２００４−７４８３号公報
【特許文献３】特開２００５−３１１４９３号公報
【特許文献４】特開２００１−３４６１４３号公報
【特許文献５】特開２００５−３５４６２３号公報
【発明の開示】
【発明が解決しようとする課題】
【０００９】
しかしながら、上述したＨＤＤ等の大容量記憶媒体が採用されると大量の画像データが記録可能になる反面、画像データを整理する際に、削除時等の画像データ選択が煩雑になるといった課題がある。
【００１０】
また、ＨＤＤの構造上、いつか必ずクラッシュする、衝撃に弱い等、長期保存媒体として完璧では無いと上述したように、定期的なバックアップが必要になってくるが、その作業をユーザが行うことは非常に面倒なものであった。
【００１１】
また、従来、カメラとＰＣ等をケーブルでつないで、データ送信する方法が実施されているがＰＣの知識、通信ソフトのインストールと理解等が必要であり、手続きも煩雑で、通信時間も長くなることが心理的障害となり、あまり活用されていない。
【００１２】
そこで本発明は、第２の記録媒体が装着されていないと検知された際には、事前にバックアップ実施指定が行われていても所定のバックアップ動作を行わず、第２の記録媒体が装着されていると検知された際には、事前に指定された所定のバックアップを行う撮像装置を提供することを目的とする。
【課題を解決するための手段】
【００１３】
上記の目的を達成するため、請求項１に記載の発明は、少なくとも２つの記録媒体を有する撮像装置であって、第１の記録媒体に記録予定または記録済みのデータを第２の記録媒体にバックアップするバックアップ手段と、前記第２の記録媒体が装置本体に装着されたことを検知する検知手段とを有し、前記検知手段により、前記第２の記録媒体が装着されていないと検知された際には、事前にバックアップ実施指定が行われていても前記バックアップ手段による所定のバックアップ動作を行わず、前記検知手段により、前記第２の記録媒体が装着されていると検知された際には、前記バックアップ手段により、事前指定された所定のバックアップを行う撮像装置であることを特徴とする。
【００１４】
請求項２に記載の発明は、請求項１の撮像装置において、前記事前指定された所定バックアップの内容は、自動バックアップ実施の有無の選択であることを特徴とする。
【００１５】
請求項３に記載の発明は、請求項１または２に記載の撮像装置において、前記事前指定された所定バックアップの内容は、撮影毎、指定枚数毎、電源ＯＮ〜ＯＦＦ迄、当日限りのいずれか１つのバックアップを行うことを特徴とする。
【００１６】
請求項４に記載の発明は、請求項１から３のいずれか１項に記載の撮像装置において、前記事前指定された所定バックアップのタイミングは、撮影後、カメラ電源ＯＦＦ時、カメラ電源ＯＮ時、モニタリング時、オートパワーオフ時のいずれか１つであることを特徴とする。
【００１７】
請求項５に記載の発明は、請求項１から４のいずれか１項に記載の撮像装置において、自動バックアップ内容、自動バックアップタイミングの両方またはいずれか１つを事前に選択することを特徴とする。
【００１８】
請求項６に記載の発明は、請求項１から５のいずれか１項に記載の撮像装置において、前記事前指定による自動バックアップ完了後に、バックアップを完了した前記第１の記憶媒体の当該画像データを削除するか否かを選択することを特徴とする。
【００１９】
請求項７に記載の発明は、請求項１から６のいずれか１項に記載の撮像装置において、撮影画像の容量を決定する画質または画像サイズの選択モードと、撮影前の前記選択モードの状況から、バックアップに必要な前記第２の記録媒体の空き容量を概算する空き容量概算手段と、前記空き容量が不足している場合には、バックアップ出来ない旨または第２の記録媒体の交換を促す旨を使用者に警告表示する警告表示手段とを有することを特徴とする。
【００２０】
請求項８に記載の発明は、請求項７に記載の撮像装置において、前記空き容量が不足の際も撮影は通常通り行い、第１の記録媒体に撮影データを記録し、前記警告表示手段に、バックアップが出来なかった旨を警告表示することを特徴とする。
【００２１】
請求項９に記載の発明は、請求項１から８のいずれか１項に記載の撮像装置において、前記第１の記録媒体が、ハードディスクで、前記第２の記録媒体が、メモリーカードまたは光ディスクであることを特徴とする。
【発明の効果】
【００２２】
本発明によれば、第２の記録媒体が装着されていないと検知された際には、事前にバックアップ実施指定が行われていてもバックアップ手段による所定のバックアップ動作を行わず、検知手段により、第２の記録媒体が装着されていると検知された際には、バックアップ手段により、事前に指定された所定のバックアップを行う撮像装置を提供することが可能となる。
【発明を実施するための最良の形態】
【００２３】
本実施形態では、上述した従来の様な状況を踏まえて、課題を解決するためのものであり、バックアップ設定は、予め行っておき、通常はＨＤＤ等の大容量記憶装置に容量を余り気にせずに蓄積しておき、バックアップが必要な撮影時には、メモリカードを入れて、バックアップを行いながらの撮影を行うことで、バックアップを半自動化し、常時必要なものはバックアップされている状況を作り出す撮像装置を提供することを目的とする。
【００２４】
本実施形態の撮像装置の内部構成について図２を用いて説明する。図２は本実施形態の撮像装置の内部構成であるブロック図を示す。
【００２５】
本実施形態の撮像装置の光学ユニットはレンズ１０１と絞り・シャッタ１０２と光学ローパスフィルタ１０３とＣＣＤ１０４で構成される。光学ユニットに入力された、被写体画像は、ＣＣＤ１０４により電気信号に変換され、画像処理部１０５に入力される。レンズ、絞りなどの光学要素、ＣＣＤ１０４は、それぞれのドライバを介して駆動される。
【００２６】
画像処理部１０５では、ＡＥ処理、ホワイトバランス処理等が行われる。その後、画像処理部１０５で処理された記録画像はＢＵＳライン１０６、圧縮・伸張処理部１０８と第２画像記録Ｉ／Ｆ部１０９を介して最終的には第１記録媒体にＪＰＥＧ画像として保存される。また、同様な構成を持つ第１画像記録Ｉ／Ｆ部１１１を介して、メモリカード等の着脱式の第２記録媒体にも保存可能な構成となっている。第１記録媒体と、第２記録媒体はＢＵＳライン１０６を介して相互に転送可能な構成となっている。
【００２７】
画像処理部１０５では、モニタリング時はＣＣＤ１０４からの入力信号をモニタリング用加工し、画像再生時は記録媒体からの読み出しデータを、圧縮・伸張処理部１０８を介して伸張し、再生用に加工し表示部ＬＣＤパネル１０７に出力して表示させる。
【００２８】
操作部１１６は、レリーズＳＷ、ズームＳＷ、モード設定ＳＷ、メニューＳＷ、メモリカード挿抜検出ＳＷなどを示しており、押し釦タイプ、レバータイプ、ＬＣＤパネルを利用したメニュー表示＆選択、決定釦による選択タイプなどからなり、入力結果を、制御・演算部１１７に入力することで、制御・演算部に所定の動作、検知を行わせる為のトリガとなる。
【００２９】
画像バッファ用メモリ（画像バッファ部）１１３は、画像処理前後のデータを一時保存しておくための部分で、特に連続撮影などの場合に処理が遅い書き込み系の影響を受けて撮影間隔が延びることが無いように、最高画質で数枚分の画像を一時的に保存する能力を備えたものである。
【００３０】
本実施形態の撮像装置における事前の設定について、図１を用いて説明する。図１は、本実施形態の撮像装置のバックアップ事前設定イメージ図を示す。
【００３１】
本実施形態の撮像装置の構成では、前記構成において、事前の設定として、図２の様な流れにて設定を行っておくものとする。すなわち、通常の撮影前のモニタリングモードからメニュー釦を押して、各種設定項目を読み出し、その中から、バックアップ設定項目を読み出す。その後は、図１に示した様な流れで設定を選択していき、バックアップの有無設定→バックアップ内容の設定→バックアップタイミングの設定→バックアップ後の削除設定の順に設定を行い、設定後に再びメニュー釦を押して、通常のモニタリングモードに復帰する構成とした。
【００３２】
設定した項目は、カメラの電源を切ってもＥＥＰＲＯＭ等の不揮発性の記憶素子に保存される構成となっている為、一度設定を行うことで、以後設定を変更するまでその設定が維持される。
【００３３】
（第１実施形態）
本実施形態では、事前にバックアップ設定が有り、バックアップ内容が撮影毎、バックアップタイミングが撮影終了時、バックアップ後の削除設定が有りとなっているものとして説明する。
【００３４】
また、一般的なデジタルカメラにおいては、電源ＯＮ時（起動時）に、レンズの準備、ＣＣＤの初期化等とともに、記憶媒体の検出、記憶済みファイルのサーチ、空き容量計算などを行っている。
【００３５】
本実施形態では、特に第２記憶媒体が、着脱可能であるため、装着を検出するメカ的
ＳＷが有るものとして構成する。メカ的検出ＳＷが無くても、電気的に第２記憶媒体の書き込みや読み出し、端子電圧測定などにより、電気的に有無を検出する方式でもよい。起動時に、第２記憶媒体（本実施形態ではメモリカード）が検出されると、制御・演算部１１７（図２参照）は、電源がＯＦＦされるか、書き込み時に電気的信号が無いと検出しない限りは、第２記憶媒体が装着されているものと認識する。
【００３６】
本実施形態の撮像装置の撮影時の一連の処理について図４を用いて説明する。図４は、本実施形態の撮像装置における撮像時の処理についての説明を示す第１のフローチャートである。
【００３７】
撮影用のレリーズ釦の押下がなされると、測光、測距を行う（ステップＳ２０１）。そして、撮影を行い（ステップＳ２０２）、撮影した画像の処理、圧縮を行なう（ステップＳ２０３）。その処理、圧縮した画像を記録媒体へ保存する（ステップＳ２０４）。バックアップ設定があるかどうか確認する（ステップＳ２０５）。バックアップ設定がない場合（ステップＳ２０５／ＮＯ）、撮影を終了する。バックアップ設定が有る場合（ステップＳ２０５／ＹＥＳ）、第２記録媒体が有るかどうか確認する（ステップＳ２０６）。第２記録媒体がない場合（ステップＳ２０６／ＮＯ）、撮影を終了する。第２記録媒体が有る場合（ステップＳ２０６／ＹＥＳ）、バックアップ内容、タイミングチェックが今の設定と一致しているかどうか確認する（ステップＳ２０７）。バックアップ設定が一致している場合（ステップＳ２０７／ＹＥＳ）、バックアップをバッファメモリから、第１記録媒体または第２記録媒体へと行う（ステップＳ２０８）。バックアップ設定がない場合（ステップＳ２０７／ＮＯ）、撮影を終了する。次にバックアップ後の削除設定を行うかどうか確認する（ステップＳ２０９）。削除しない設定の場合（ステップＳ２０９／ＮＯ）、動作を終了する。バックアップ後の削除設定を行う場合（ステップＳ２０９／ＹＥＳ）、第１記録媒体に記録してある画像を削除する（ステップＳ２１０）。
【００３８】
上述した撮影用のレリーズ釦の押下から、撮影画像の記録（第１記録媒体：本実施形態ではＨＤＤへの記録）までは一般的なカメラと同様である。その後、上述したフローに記述されている用に、バックアップ設定の各種確認と、第２記録媒体（本実施形態ではメモリカード）の存在確認（起動時に確認された結果の確認）を行う。バックアップ有り、撮影毎バックアップ、撮影後バックアップ、バッグアップ後の削除設定有りで、メモリカードも存在する場合は、撮影データをメモリカードにも追加記録し、記録後、ＨＤＤに記録された画像データを削除する。
【００３９】
本実施形態の撮像装置における撮影する前のモニタリング時について図６を用いて説明する。図６は、本実施形態の撮像装置におけるモニタリング時の説明を示す第１のフローチャートである。
【００４０】
まず、画像取り込みからＬＣＤ画像更新を行う（ステップＳ４０１）。次に、バックアップ設定が有るかどうか確認する（ステップＳ４０２）。バックアップ設定が有る場合（ステップＳ４０２／ＹＥＳ）、空き容量が有るかどうか確認する（ステップＳ４０３）。空き容量が不足している場合（ステップＳ４０３／ＹＥＳ）、「容量不足でバックアップ出来ません。メモリカードを交換して下さい。バックアップが不要な場合には、そのまま撮影します。」などと表示をする（ステップＳ４０４）。バックアップ設定がない場合（ステップＳ４０２／ＮＯ）、空き容量が不足していない場合（ステップＳ４０３／ＮＯ）、各種ＳＷ操作入力があるかどうか確認する（ステップＳ４０５）。各種ＳＷ操作入力がある場合（ステップＳ４０５／ＹＥＳ）、各種動作へ移行する。各種ＳＷ操作入力がない場合（ステップＳ４０５／ＮＯ）、再び、画像取り込みを行う（ステップＳ４０１）。
【００４１】
上記のように、撮影以前のモニタリング時には、バックアップ設定の有無状況、バックアップ内容設定状態と、起動時に確認したメモリカードの空き容量、カメラの画質、画像サイズ設定状況から、バックアップの可否を判定し、次の撮影におけるバックアップが不能である場合は、液晶モニタにその旨表示する構成となっている。表示としては、バックアップ出来ない旨表示しても良いし、メモリカードの交換を促す表示にしてもよい。
【００４２】
本実施形態の撮像装置の警告表示について図３、図５を用いて説明する。図３は、本実施形態の撮像装置のバックアップができない際の警告表示の一例を示す。図５は、本実施形態の撮像装置におけるバックアップ実施時の説明を示す第１のフローチャートである。
【００４３】
図５に示すように、まずは、撮影データの空き容量が足りているかどうか確認する（ステップＳ３０１）。空き容量が不足している場合（ステップＳ３０１／ＮＯ）、警告表示する（ステップＳ３０３）。空き容量が足りている場合（ステップＳ３０１／ＹＥＳ）、バッファメモリ、第１記録媒体または第２記録媒体により記録を行う（ステップＳ３０２）。
【００４４】
（警告表示例）
図３に示すように、バックアップ容量チェックは、バックアップ実施時にも行い、その時点で、バックアップ内容設定状況とメモリカードの空き状況から、バックアップが不可能であれば、バックアップを行わず、撮影を終了し、バックアップ出来なかった旨をその場、又は撮影後にＬＣＤに表示する構成とする。バックアップを行わなかった場合は、削除設定有り設定の場合であってもその後の削除も行わない。
【００４５】
上述したように、本実施形態では第２記録媒体が装着されていない場合は、バックアップ設定が有りとなっていても、何事もなかった様に、バックアップも行わないし、削除も行わない。容量不足の場合と違い、バックアップ関連の表示も行わない。従って、ユーザの要望に合ったバックアップの設定を一度行っておき、通常はそのままバックアップ無しで撮影を行い、本当に重要な撮影の前には、メモリカードを装着することで、自動バックアップ撮影を行うことができ、操作性が非常に簡便で、感覚的にも分かりやすいバックアップ操作が可能である。バックアップを行わないで、そのたびに設定をいじる必要がなく、バックアップが必要な時に、メモリカードを入れることで、あとは自動的に処理される（撮影、バックアップ実施フロー参照）。
【００４６】
本実施形態では、第２記録媒体をメモリカードで構成したが、ＤＶＤ、次世代ＤＶＤなどの記録可能な光ディスクでも良いし、フラッシュメモリ系列のＵＳＢメモリ等でも当然構成できる。このような場合には、ＰＣへのデータの再移動がより簡便になる。記録速度、Ｉ／Ｆを含めた大きさなどで適宜決めればよい。
【００４７】
削除設定も、削除前にユーザに最終問い合わせを行う構成で、念を入れても良いし削除前に、ファイルのベリファイ（第１記録媒体の内容と第２記録媒体の内容を照合する）を実施し、確認後削除する構成としても良いし、削除実施後、ＨＤＤのファイルＮｏ、ファイル名等を再付与する構成や、ＨＤＤのデフラグや、不良セクタのチェックなどを行う構成をとるなどいろいろな応用も考えられる。
【００４８】
（第２実施形態）
本実施形態の撮像装置の撮影時の処理について図７を用いて説明する。図７は、本実施形態の撮像装置における撮影時の処理の説明を示す第２のフローチャートである。
【００４９】
本実施形態の撮像装置のレリーズ釦を押下すると、測光、測距を行う（ステップＳ５０２）。次に、撮影を開始する（ステップＳ５０２）。撮影後、撮像された画像の画像処理、画像圧縮を行なう（ステップＳ５０３）。次に、画像処理、画像圧縮した画像を記録媒体へと保存する（ステップＳ５０４）。次にバックアップ設定が有るかどうか確認する（ステップＳ５０５）。バックアップ設定が有る場合（ステップＳ５０５／ＹＥＳ）、第２記録媒体（メモリカード）があるかどうか確認する（ステップＳ５０６）。バックアップ設定がない場合（ステップＳ５０５／ＮＯ）、撮影を終了する。第２記録媒体がない場合にも（ステップＳ５０６／ＮＯ）、撮影を終了する。第２記録媒体が有る場合（ステップＳ５０６／ＹＥＳ）、バックアップ内容が一致しているかどうか確認する（ステップＳ５０７）。バックアップ内容が一致している場合（ステップＳ５０７／ＹＥＳ）、バックアップを実施する（ステップＳ５０８）。バックアップ内容が一致していない場合は（ステップＳ５０７／ＮＯ）、撮影を終了する。バックアップを実施した後、バックアップ後の削除設定を行うかどうか判断する（ステップＳ５０９）。バックアップ削除設定を行うと判断された場合（ステップＳ５０９／ＹＥＳ）、第１記録媒体の画像を削除する（ステップＳ５１０）。バックアップ削除設定を行わないと判断した場合（ステップＳ５０９／ＮＯ）、撮影を終了する。第１記録媒体の画像を削除した後、最終撮影釦を押下するかどうか判断する（ステップＳ５１１）。最終撮影釦を押下する場合（ステップＳ５１１／ＹＥＳ）、最終撮影フラグセットを行う（ステップＳ５１２）。最終撮影釦を押下しないと判断した場合（ステップＳ５１１／ＮＯ）、撮影を終了する。
【００５０】
図７に第２実施形態のフローチャートを示したが、本実施形態では、バックアップに関する事前設定が、バックアップ有り、バックアップ内容は、当日撮影分のバックアップ、バックアップタイミングは、電源ＯＦＦ時が設定されているものとする。次にバックアップ実施のフローを説明する。
【００５１】
本実施形態の撮像装置のバックアップ時の処理について、第１実施形態と同じように、図８を用いて説明する。図８は、本実施形態の撮像装置におけるバックアップ時の説明を示す第２のフローチャートである。
【００５２】
図８に示すように、まずは、撮影データの空き容量が足りているかどうか確認する（ステップＳ６０１）。空き容量が不足している場合（ステップＳ６０１／ＮＯ）、「バックアップ出来ませんでした。」と警告表示する（ステップＳ６０３）。空き容量が足りている場合（ステップＳ６０１／ＹＥＳ）、バッファメモリ、第１記録媒体または第２記録媒体により記録を行う（ステップＳ６０２）。
【００５３】
次に、本実施形態の撮像装置のバックアップの処理における電源ＯＦＦ時について図９を用いて説明する。図９は、本実施形態の撮像装置における電源ＯＦＦ時の説明を示す第２のフローチャートである。
【００５４】
図９に示すように、電源ＯＦＦ時は、ズーム収納やＬＣＤをＯＦＦするなどの通常処理を行う（ステップＳ７０１）。バックアップ設定が有るかどうか判断する（ステップＳ７０２）。バックアップ設定が有る場合（ステップＳ７０２／ＹＥＳ）、第２記録媒体が有るかどうか判断する（ステップＳ７０３）。バックアップ設定がないと判断された場合（ステップＳ７０２／ＮＯ）、休止する。第２記録媒体が有ると判断された場合（ステップＳ７０３／ＹＥＳ）、バックアップ内容が一致しているかどうか判断する（ステップＳ７０４）。第２記録媒体がないと判断された場合（ステップＳ７０３／ＮＯ）、休止する。バックアップ内容が一致していると判断された場合（ステップＳ７０４／ＹＥＳ）、最終撮影フラグが有るかどうか判断する（ステップＳ７０５）。最終撮影フラグが有ると判断された場合（ステップＳ７０５／ＹＥＳ）、バックアップの実施を行う（ステップＳ７０６）。この際、現在の日付の全撮影データをバックアップデータに指定する。最終フラグがないと判断された場合（ステップＳ７０５／ＮＯ）、休止する。バックアップの実施を行った後、バックアップ後の削除設定を行うかどうか判断する（ステップＳ７０７）。バックアップ後の削除設定を行うと判断された場合（ステップＳ７０７／ＹＥＳ）、第１記録媒体の画像を削除する（ステップＳ７０８）。バックアップ後の削除設定を行わないと判断された場合（ステップＳ７０７／ＮＯ）、休止する。
【００５５】
設定に関しては、図２の設定イメージ図を参照されたい。
【００５６】
設定における制約条件は種々の応用的構成が可能であるが、本実施形態では、バックアップ内容が、撮影毎、５枚毎などの撮影枚数関係にて決まる場合は、バックアップタイミングを撮影後や、モニタリング中のみに設定可能とし、当日撮影分などの場合は、電源ＯＦＦ後のみに設定可能とする等有る程度簡便な構成として一実施形態としている。
【００５７】
撮影用のレリーズ釦の押下から、撮影画像の記録、バックアップ判定などの部分は実施例と同じであるが、撮影毎バックアップではないので、撮影時にはバックアップ動作は行われない。
【００５８】
但し、当日撮影分のバックアップであるので、電源ＯＦＦ時に、当日の最後の撮影が行われたかどうかの判定が必要であり、本実施形態では、撮影後のモニタリング中に、最終撮影済み釦（電源ＯＦＦ時にバックアップを行わせる釦という定義でも可でありこの役割の釦をカメラ上に設置する。）を押す。電源ＯＮ時〜ＯＦＦ時までの間にこの釦が押されれば、制御部は最終撮影が行われたものと認識し、最終撮影フラグをセットする（フラグリセットは起動時等でＯＫ）。
【００５９】
電源ＯＦＦ部のフローに記述した様に、電源ＯＦＦ時にズームレンズ収納、ＬＣＤをＯＦＦする等の所定処理終了後、バックアップ有無、内容、タイミング、第２記録媒体の有無を確認するとともに、最終撮影フラグをチェックし、フラグがセットされていれば、最新と同じ撮影日のすべてのファイルをバックアップ対象として、第１記録媒体から、第２記録媒体へのバックアップを行う（バックアップ対象が直前撮影の１枚〜連写の数枚であれば、画像バッファからの転送が可能であるが、この場合は、第１記録媒体から、ＢＵＳを経由して、第２記録媒体へのコピーとなる）。
【００６０】
本実施形態でも、第１実施形態と同様に、第２記録媒体が装着されていない場合はバックアップ設定を行わず、警告表示もない。また容量不足の場合には、その旨表示する。
【００６１】
本構成では、バックアップ容量がかなり大きいことが予測されるので、容量不足の場合は、このままバックアップ無しで終了するのか、または交換を促し、交換後再試行を行わせるのかを選択可能な構成としてもよい。
【００６２】
（警告表示例)
その後は、削除設定にしたがって、第１記録媒体側のファイルを削除し、本来の休止状態にはいる。
【００６３】
ＬＣＤに関しては、第１実施形態の場合と同様に、容量不足時の対応のため、バックアップ処理終了後に消す構成としても良いし、ズームレンズの収納処理を最後に持ってきてもよい。（ズームが収納し、ＬＣＤをＯＦＦすると、処理がすべて終わったものとしてバックアップ作業中に電池を抜かれることもあり、それを防止するため）
【００６４】
本実施形態も、第２記録媒体をメモリカードで構成したが、ＤＶＤ、次世代ＤＶＤなどの記録可能な光ディスクでも良いし、フラッシュメモリ系列のＵＳＢメモリ等でも当然構成できる。このような場合には、ＰＣへのデータの再移動がより簡便になる。記録速度、Ｉ／Ｆを含めた大きさなどで適宜決めればよい。
【００６５】
削除設定も、第１実施形態と同様に削除前にユーザに最終問い合わせを行う構成で、念を入れても良いし削除前に、ファイルのベリファイ（第１記録媒体の内容と第２記録媒体の内容を照合する）を実施し、確認後削除する構成としても良いし削除実施後、ＨＤＤのファイルＮｏ、ファイル名等を再付与する構成や、ＨＤＤのデフラグや、不良セクタのチェックなどを行う構成を撮るなどいろいろな応用も考えられる。
【００６６】
本実施形態では、第１実施形態に比較して、撮影後にバックアップを行わないため、撮影後の不自然な動作がなく、書き込み中などによる、次の撮影に対する影響（バッファなどの活用で影響をなくすこともできるが）もなくなる。また本実施形態では、最終撮影であることを認識するための釦を設置しているが、ユーザが当日分（有る程度のまとまり）をバックアップしたい場合に、電源ＯＦＦ釦を長押しすることで、最終撮影であることをカメラに通達する構成としてもよい。
【００６７】
また、カメラの日付情報を利用して、日付が変更された後の電源ＯＦＦにてバックアップを行っても良いし、本実施形態とは違う構成となるが日付変更をバックグラウンドにて自動検出してバックアップを実施する構成としてもよい。
【００６８】
バックアップが必要な撮影毎に、煩雑なバックアップ設定を行ったり、撮影後にバックアップが必要なデータを検索し、選択し、バックアップを実施するという煩雑な手順が必要だった従来技術を、大幅に改善するため、購入時に、バックアップ用のメモリカードを装着すれば、自動的に煩雑な手順や、意識無しに、主記録媒体であるＨＤＤ等の大容量の記録媒体と、メモリカードに撮影データがバックアップできる。
【００６９】
２つの記録媒体に、別のデータを保存し、保存容量を稼ぐ使用方法も選択可能とするため、自動バックアップの有無を事前に設定可能な構成とした。
【００７０】
バックアップに伴う違和感を防止するため、バックアップ内容を、撮影毎、指定枚数毎、電源ＯＮ〜ＯＦＦ迄、指示日限りのいずれか１つに設定可能とする。また、これらの内容を選択可能な構成としてもよい。
【００７１】
バックアップに伴う違和感や、次の動作待ちとなることを防止するため、バックアップの実施タイミングを、撮影後、カメラ電源ＯＦＦ時、カメラ電源ＯＦＦ時、カメラ電源（起動）時、モニタリング（レリーズ操作無し）時、オートパワーオフ（消費電力削減）時のいずれか１つのタイミングで行う。また、これらの内容を選択可能な構成としてもよい。
【００７２】
バックアップ後に、元データ（第容量の第１記録媒体内）を削除可能な構成とすることで、改めて削除画像を検索し、選択し、バックアップの有無を有効利用することができる。
【００７３】
バックアップ有り設定において、指定バックアップが不可能（容量不足）の場合は、予め、撮影者に警告し、バックアップ出来ないことを認識しないまま次の撮影を行ってしまうことを防止できる。
【００７４】
バックアップ出来ない場合でも、撮影を行うことで、緊急時に撮影出来なくなることやメモリカードが無い場合との整合性をとることができる。バックアップ設定有りでカードが無い場合には、表示無しで撮影可能となり、バックアップ設定有りでカード容量が不足の場合は、警告表示有りで撮影可能となる。
【００７５】
バックアップ内容、タイミングを自分の撮影する状況に合わせて設定することで、違和感や、撮影機会を逃すことがない、自動バックアップ設定が可能となる。
【００７６】
大容量保存装置として一般的なＨＤＤと、比較的に小容量の記憶装置として充分に使用されているメモリカード、光ディスクを使用することで、安価で、容易に実現可能なシステムとすることができる。
【００７７】
通常の発想と逆（大容量の記録媒体中のデータを、小容量の媒体にてバックアップする）の構成としたことで、ユーザに対し、必要時に、必要な分のみバックアップするという習慣づけをすることができる。また、ＰＣ等へデータを写す場合にも容量が大きくなく、一般的に普及している、マスストレージタイプのカードリーダや、ＰＣのカードスロット等が利用可能となるので、ソフトインストールや、心理的に煩雑な有線接続が不要であり、かつ、そのまま放っておいても、バックアップとしては成立している。（メモリカードに保存されており、不揮発性であり衝撃にも強いため）。これは、光ディスクや、ＵＳＢメモリを使用した場合も同様である。つまりハンドリングのしやすい装置を使い、うまくバックアップサイクルを回すことができるという、効果があることになる。
【００７８】
本実施形態によれば、バックアップ済みのデータを自動削除する設定も可能なため、主記憶領域の領域確保も、面倒な画像選択、削除手順なしに、行うことができ、一般的に普及しており、容量も拡大しつつあり、データ保存の安定性もあるメモリカードや、光ディスクをバックアップメディアとすることで、あまり大容量にならないうちに定期的なバックアップ準備を促す効果と、簡便な操作性を得ることができる撮像装置を提供することが可能となる。
【産業上の利用可能性】
【００７９】
本発明を利用すれば、携帯機器（カメラ付き携帯電話、ＰＤＡ等）の撮影データバックアップ機構などに応用できる。
【図面の簡単な説明】
【００８０】
【図１】本実施形態の撮像装置におけるバックアップ事前設定を示すイメージ図である。
【図２】本実施形態の撮像装置における内部構成を示すブロック図である。
【図３】本実施形態の撮像装置におけるバックアップができない際の警告表示画面の一例を示す図である。
【図４】本実施形態の撮像装置における撮影時の処理についての説明を示す第１フローチャート図である。
【図５】本実施形態の撮像装置におけるバックアップ実施時の説明を示す第１フローチャート図である。
【図６】本実施形態の撮像装置におけるモニタリング時の説明を示す第１フローチャート図である。
【図７】本実施形態の撮像装置における撮影時の処理についての説明を示す第２フローチャート図である。
【図８】本実施形態の撮像装置におけるバックアップ実施時の説明を示す第２フローチャート図である。
【図９】本実施形態の撮像装置における電源ＯＦＦ時の説明を示す第２フローチャート図である。
【符号の説明】
【００８１】
１０１    レンズ
１０２    シャッタ
１０３    光学ローパスフィルタ
１０４    ＣＣＤ
１０５    画像処理部
１０６    ＢＵＳ
１０７    表示部ＬＣＤパネル
１０８    圧縮・伸張処理部
１０９    第２の画像記録Ｉ／Ｆ
１１０    第１記録媒体
１１１    第１の画像記録Ｉ／Ｆ
１１２    第２記録媒体
１１３    画像バッファ用メモリ
１１６    操作部
１１７    制御・演算部
１１８    光学系ドライバ
１１９    ＣＣＤドライバ
【図１】
2008092533.tif 000003
【図２】
2008092533.tif 000004
【図３】
2008092533.tif 000005
【図４】
2008092533.tif 000006
【図５】
2008092533.tif 000007
【図６】
2008092533.tif 000008
【図７】
2008092533.tif 000009
【図８】
2008092533.tif 000010
【図９】
2008092533.tif 000011